(57)【要約】【課題】  発光素子と受光素子との微妙な光軸調整を必要とせず、量産性を向上させると共に光ビームの利用効率を高くできるので、果物等の農作物を傷つけることなく、その糖度を高い精度で測定する。【解決手段】  所定の波長の光ビームを発光する発光素子１２、発光素子１２が表面に形成された基板１０、発光素子１２から発光された光ビームを収束して透過させる対物レンズ５、基板１０の表面において発光素子１２の周りを囲んで形成され、対物レンズ５を透過して収束されて入射する光ビームを受光して受光信号を発生する受光素子１３を有する光学ユニット７と、発光素子１２から発光された光ビームを農作物の対象部位に照射させ、対象部位内の成分によって反射された光ビームを受光素子１３によって受光させて発生した受光信号に基づいて、対象部位内の糖分の濃度を検出し、検出した糖分の濃度を表示部３に表示する制御部３１と、を備えている。【選択図】  図１
2010127694.tif 000002
【特許請求の範囲】
【請求項１】
農作物の糖度を測定する携帯型の糖度計であって、
操作部と、
表示部と、
駆動信号に応じて所定の波長の光ビームを発光する発光素子、前記発光素子が表面に形成された基板、前記発光素子から発光された光ビームを収束して透過させるレンズ、及び前記基板の表面において前記発光素子の周りを囲んで形成され、前記レンズを透過して収束されて入射する前記所定の波長の光ビームを受光して受光信号を発生する受光素子を有する光学ユニットと、
前記光学ユニットに駆動信号を与えて、前記発光素子から発光された光ビームを前記農作物の対象部位に照射させ、当該対象部位内の成分によって反射された光ビームを前記受光素子によって受光させて発生した受光信号に基づいて、当該対象部位内の糖分の濃度を検出し、当該検出した糖分の濃度を前記表示部に表示する制御部と、
を備えたことを特徴とする糖度計。
【請求項２】
農作物の収穫用の工具に装着するための装着手段を備えることを特徴とする請求項１に記載の糖度計。
【請求項３】
前記制御部を含む電子回路に電源を供給する太陽電池を備えることを特徴とする請求項１又は２に記載の糖度計。
【請求項４】
外部の情報処理装置と無線通信を行う通信部を備えることを特徴とする請求項１乃至３のいずれかに記載の糖度計。
【請求項５】
請求項２乃至４のいずれか１項の糖度計を前記装着手段によって固定的又は着脱可能に取り付けられていることを特徴とする農作物の収穫用の工具。
【請求項６】
可搬型の音声録音装置であって、
本体と、
前記本体の異なる位置に設けられた複数の音声入力手段であって、各音声入力手段が、他の音声入力手段とは異なる特定の方向からの音声に感応して音声信号を生成するとともに、各音声入力手段からの距離がより離れた音源ほど他の音声入力手段が当該音源からの音声に感応するような指向性を有するものと、
前記複数の音声入力手段から入力される音声信号を複数系統のデジタル音声データに変換する変換手段と、
第１の記憶手段と、
第２の記憶手段と、
前記変換手段によって変換された複数系統のデジタル音声データを前記第１の記憶手段に記憶する記憶制御手段と、
各系統のデジタル音声データの相互の音量差に基づいて前記第１の記憶手段に記憶されているデジタル音声データを前記第２の記憶手段に保存するか否かを判定する保存判定手段と、
前記保存判定手段によって保存すると判定されたときは前記第１の記憶手段に記憶されているデジタル音声データを前記第２の記憶手段に転送する転送制御手段と、
を備えたことを特徴とする音声録音装置。
【請求項７】
前記本体の対向する２箇所に両端が結合されたベルトを有する腕時計型の音声録音装置であることを特徴とする請求項６に記載の音声録音装置。
【請求項８】
前記保存判定手段は、前記第１の記憶手段に記憶された複数系統のデジタル音声データに共通するデータ成分を各系統のデジタル音声データから除去した後に、少なくとも１つの系統のデジタル音声データの音量値が所定の閾値を超えたときに、当該閾値を超えた音量値のデジタル音声データを前記第２の記憶手段に保存すると判定することを特徴とする請求項６又は７に記載の音声録音装置。
【請求項９】
電力制御手段、並びに、当該電力制御手段、前記複数の音声入力手段、前記変換手段、前記第１及び第２の記憶手段、前記記憶制御手段、前記保存判定手段、前記転送制御手段を含む電子回路に電力を供給する充電電池、及び太陽電池を備え、前記電力制御手段は、前記電子回路に供給する電力を前記充電電池及び前記太陽電池のいずれか一方から供給されるように制御することを特徴とする請求項６、７又は８に記載の音声録音装置。
【請求項１０】
前記本体は、充電電池、外部機器と接続するための入出力インタフェース及び接続端子を備え、前記接続端子に接続されたイヤホン装置又は所定のケーブルを介して前記接続端子に接続された情報処理装置に対して前記第２の記憶手段に保存したデジタル音声データを送信するとともに、当該情報処理装置からの充電電流によって前記充電電池を充電することを特徴とする請求項６、７又は８に記載の音声録音装置。
【発明の詳細な説明】
【技術分野】
【０００１】
本発明は、太陽電池を応用した糖度計及び農作物の収穫用の工具、並びに、太陽電池を応用した音声録音装置に関するものである。
【背景技術】
【０００２】
果実等の農作物の糖度を測定することについては、従来いくつか提案がなされている。
例えば、ある提案による農産物特定方法及び装置において、デジタル糖度計４は、糖度を示すＢｒｉｘ値を測定するための計測器であり、測定値を表示する液晶表示部４３と、デジタル糖度計４の電源ＯＮ/ＯＦＦを切り替える電源スイッチや測定の開始指示や設定等を行う操作部４２と、液状の被検体を注入して測定する、平面視円形の測定レンズ部４１とで構成され、デジタル糖度計４での測定結果を制御装置３に出力する。（特許文献１、段落番号「００２９」、図４参照）
しかし、上記提案の農産物特定方法及び装置の場合には、農作物に孔を開けてそこから果汁等を抽出するので、農作物を傷つけることになる。そこで、農作物に傷を付けないで糖度を測定する提案がなされている。例えば、果実等の農作物に光を照射してその糖度を測定する。そのため下記の特許文献２乃至５等が提案されている。
【０００３】
また、音声録音の技術については、多くの提案がなされている。特に、マイクから入力される音声信号の録音中に、人の声や音楽などの録音対象の音声信号が途絶えたときは、録音を中断して、再び録音対象の音声信号が入力されたときに、録音を再開するＶＯＲ（音声作動録音）が知られている。
例えば、ある提案による自動記録回路においては、レベル 検出手段により前記入力アナログ信号が所定レベル を超えたと判断したときには、記録メカニズムを立上げ開始させることが記載されている。（特許文献１、段落番号「０００７」参照）
また、有る提案による音声起動録音装置においては、設定された閾値 とその後に入力された音声の音声レベル とを比較する比較手段と、この比較手段からの出力に基づいて録音 の開始または待機を判定する判定手段とを具備することが記載されている。（特許文献２、段落番号「０００７」参照）
また、ある提案による記録再生装置においては、ＶＯＲが液晶パネルに表示されているときにジョグダイヤルがクリックされると、ＣＰＵはＶＯＲ設定モードに移行し、一定レベル以上の音声が検出された場合にのみ自動的に録音を行い、いわゆる無音時には録音を行わない構成が記載されている（特許文献３、段落番号「００５８」参照）
また、ある提案による音声記録装置においては、入力音声レベル が閾値 以上であった場合には記録媒体への録音 を開始することが記載されている。（特許文献４、段落番号「００３３」参照）
また、ある提案によるデータ記録装置においては、シスコン２４は、オーディオ信号のレベル
と判定レベル Ｌ１とを比較し、オーディオ信号が判定レベル Ｌ１を上回ると、シンクロ録音 を開始することが記載されている。（特許文献５、段落番号「００３１」参照）
また、ある提案によるデータ配信装置においては、マイクへの音声入力レベル
が所定の閾値 を超えた際にメモリアルイベントが開始されたとして、上記選択されたカメラによる撮影及びマイクによる録音 が開始されることが記載されている。（特許文献６、段落番号「００６７」参照）
また、ある提案による音声記録装置においては、音声入力レベル ＥＬが上記音声起動レベル ＴＨ以上であれば、録音 動作処理を実行して、入力音声を上記記録媒体７に記録することが記載されている。（特許文献７、段落番号「００４６」参照）
また、ある提案による情報処理装置においては、録音 制御部５２は、LPF５７から供給されてきたPCMデータに基づいて、DSDデバイス２により取り込まれているDSDデータの音量 を監視し、その音量 が所定の閾値 以上であると判定したとき、録音 を開始させることが記載されている。（特許文献８、段落番号「００８１」参照）
【特許文献１】特開２００７−２２５２９３号公報
【特許文献２】特開平１１−０４４６３８号公報
【特許文献３】特開２００３−１１４１９１号公報
【特許文献４】特開２００４−２９４１０８号公報
【特許文献５】特開２００８−０３９４２８公報
【特許文献６】特開平０７−１９２３９７号公報
【特許文献７】特開平０９−０５０３６４号公報
【特許文献８】特開平１１−０６５６００号公報
【特許文献９】特開２００１−２３６０９５号公報
【特許文献１０】特開２００２−１３３７７３号公報
【特許文献１１】特開２００２−１５８９９０号公報
【特許文献１２】特開２００３−２９７０６１号公報
【特許文献１３】特開２００６−０７９７４０号公報
【発明の開示】
【発明が解決しようとする課題】
【０００４】
しかしながら、上記特許文献２乃至５においては、発光素子と受光素子との微妙な光軸調整が必要であるので、量産効率が悪くなるという課題がある。さらに、経年変化等により発光素子と受光素子との光軸がずれてしまった場合には、果物等の農作物の糖度を高い精度で測定することができないという課題がある。
本発明は、このような従来の課題を解決するためになされたもので、果実等の農作物に光を照射してその糖度を測定する場合に、発光素子と受光素子との微妙な光軸調整を必要とせず、量産性を向上させると共に光ビームの利用効率を高くできる糖度計を提供することを目的とする。
さらに、本発明の糖度計を備えることによって、農作物を収穫する前に、収穫の是非を判断することができる収穫用の工具を提供することを目的とする。
また、上記特許文献６乃至１３においては、外部から入力される人の音声等のレベルが所定レベル以上のときに録音を開始する構成になっているので、例えば、複数の人が会議や打ち合わせを行っている際に、大きな声で話す人の音声は録音できるが、小さな声で話す人の音声は録音できないという課題がある。また、周囲の不要な雑音のレベルが所定レベル以上の場合には、その雑音を録音してしまうという課題もある。
本発明は、このような従来の課題を解決するためになされたもので、外部から入力される人の音声等のレベルの大小にかかわらず、且つ、周囲の不要な雑音のレベルが大きい場合でも、録音対象である人の音声等を確実に録音できる音声録音装置を提供することを目的とする。
【課題を解決するための手段】
【０００５】
本発明の糖度計は、農作物の糖度を測定する携帯型の糖度計であって、
操作部と、表示部と、駆動信号に応じて所定の波長の光ビームを発光する発光素子、前記発光素子が表面に形成された基板、前記発光素子から発光された光ビームを収束して透過させるレンズ、及び前記基板の表面において前記発光素子の周りを囲んで形成され、前記レンズを透過して収束されて入射する前記所定の波長の光ビームを受光して受光信号を発生する受光素子を有する光学ユニットと、前記光学ユニットに駆動信号を与えて、前記発光素子から発光された光ビームを前記農作物の対象部位に照射させ、当該対象部位内の成分によって反射された光ビームを前記受光素子によって受光させて発生した受光信号に基づいて、当該対象部位内の糖分の濃度を検出し、当該検出した糖分の濃度を前記表示部に表示する制御部と、を備えたことを特徴とする。
本発明の糖度計において、例えば、農作物の収穫用の工具に装着するための装着手段を備えることを特徴とする。
本発明の糖度計において、例えば、制御部を含む電子回路に電源を供給する太陽電池を備えることを特徴とする。
本発明の糖度計において、例えば、外部の情報処理装置と無線通信を行う通信部を備えることを特徴とする。
【０００６】
本発明の農作物の収穫用の工具は、本発明の糖度計をその装着手段によって固定的又は着脱可能に取り付けられていることを特徴とする。
【０００７】
本発明の音声録音装置は、可搬型の音声録音装置であって、
本体と、本体の異なる位置に設けられた複数の音声入力手段であって、各音声入力手段が、他の音声入力手段とは異なる特定の方向からの音声に感応して音声信号を生成するとともに、各音声入力手段からの距離がより離れた音源ほど他の音声入力手段が当該音源からの音声に感応するような指向性を有するものと、複数の音声入力手段から入力される音声信号を複数系統のデジタル音声データに変換する変換手段と、第１の記憶手段と、第２の記憶手段と、変換手段によって変換された複数系統のデジタル音声データを第１の記憶手段に記憶する記憶制御手段と、各系統のデジタル音声データの相互の音量差に基づいて第１の記憶手段に記憶されているデジタル音声データを第２の記憶手段に保存するか否かを判定する保存判定手段と、保存判定手段によって保存すると判定されたときは第１の記憶手段に記憶されているデジタル音声データを第２の記憶手段に転送する転送制御手段と、を備えた構成になっている。
【０００８】
本発明の音声録音装置は、本体の対向する２箇所に両端が結合されたベルトを有する腕時計型であることを特徴とする。
本発明の音声録音装置において、保存判定手段は、第１の記憶手段に記憶された複数系統のデジタル音声データに共通するデータ成分を各系統のデジタル音声データから除去した後に、少なくとも１つの系統のデジタル音声データの音量値が所定の閾値を超えたときに、閾値を超えた音量値のデジタル音声データを第２の記憶手段に保存すると判定することを特徴とする。
本発明の音声録音装置において、電力制御手段、並びに、電力制御手段、複数の音声入力手段、変換手段、第１及び第２の記憶手段、記憶制御手段、保存判定手段、転送制御手段を含む電子回路に電力を供給する充電電池、及び太陽電池を備え、電力制御手段は、電子回路に供給する電力を充電電池及び太陽電池のいずれか一方から供給されるように制御することを特徴とする。
本発明の音声録音装置において、本体は、充電電池、外部機器と接続するための入出力インタフェース及び接続端子を備え、接続端子に接続されたイヤホン装置又は所定のケーブルを介して接続端子に接続された情報処理装置に対して第２の記憶手段に保存したデジタル音声データを送信するとともに、当該情報処理装置からの充電電流によって充電電池を充電することを特徴とする。
【発明の効果】
【０００９】
本発明の糖度計によれば、発光素子と受光素子との微妙な光軸調整を必要とせず、その結果、量産性を向上させると共に光ビームの利用効率を高くできるので、果物等の農作物を傷つけることなく、その糖度を高い精度で測定することができるという効果が得られる。
【００１０】
また、本発明の農作物の収穫用の工具によれば、その工具に取り付けた糖度計によって果物等の農作物の糖度を高い精度で測定することにより、その農作物を収穫する前に、収穫の是非を判断することができるという効果が得られる。
【００１１】
本発明の音声録音装置によれば、外部から入力される人の音声等のレベルの大小にかかわらず、且つ、周囲の不要な雑音のレベルが大きい場合でも、録音対象である人の音声等を確実に録音できるという効果が得られる。
【発明を実施するための最良の形態】
【００１２】
以下、本発明による糖度計の実施形態、並びに、農作物の収穫用の工具の発明の実施形態について、図１乃至図６を参照して説明する。
【００１３】
図１は、本発明の実施形態における糖度計１の外観を示す図である。図１（Ａ）は糖度計１の上面図、図１（Ｂ）は糖度計１の左側面図、図１（Ｃ）は糖度計１の前面及び背面の側面図、図１（Ｄ）は糖度計１の底面図である。このように、糖度計１は第１の面乃至第６の面を有する略直方体である。図１（Ａ）に示す上面には、スイッチ２、４個のＬＥＤ（発光ダイオード）その他の表示素子からなる表示部３、及び太陽電池４が設けられている。図１（Ｂ）に示す側面には、対物レンズ５が設けられている。図１（Ｄ）に示す底面には、２個の装着手段６（マグネット又は接着剤付きの弾性部材）が設けられている。表示部３の４個のＬＥＤ（ａ）、（ｂ）、（ｃ）、（ｄ）は、それぞれ「赤」、「黄」、「緑」、「青」の光を発光する。
【００１４】
図２は、図１の糖度計１の内部に設けられた光学ユニットの構造を示す図である。図２（Ａ）は光学ユニット７の断面図である。図２（Ａ）において、対物レンズ５を収容する筒部材８の内壁は鏡面になっている。対物レンズ５の後方には可視光線をカットする光学フィルタ９が設けられている。筒部材８の奥には、樹脂又はセラミックの基板１０が設けられている。基板１０の上面には中央の微小なマイクロレンズ１１、マイクロレンズ１１の下側の発光素子１２、発光素子１２の周囲の受光素子１３、及び電子回路と接続するための信号線（図示せず）で構成されている。図２（Ｂ）は、対物レンズ５側から見た円板形状の基板１０の図である。受光素子１３は発光素子１２を同心円状に囲むドーナツ型であり、発光素子１２よりもかなり広い面積を持っている。図２に示すように、発光素子１２、マイクロレンズ１１、対物レンズ５、及び受光素子１３は、同一の光軸を有する。
【００１５】
発光素子１２は、近赤外線の光ビームＬｅを発光する。マイクロレンズ１１は、発光素子１２から発光された光ビームＬｅを収束して前方へ出射する。対物レンズ５は、マイクロレンズ１１によって収束され、光学フィルタ９を透過した光ビームＬｅをさらに収束して、この糖度計１の外部に出射する。したがって、発光素子１２から発光された光ビームＬｅはマイクロレンズ１１及び対物レンズ５によって収束されて果実等の農作物（図示せず）に光ビームとして照射される。なお、発光素子１２は近赤外線の代わりにレーザ光を発光する素子であってもよい。
【００１６】
農作物に照射した光ビームＬｅは、その表面で一部が反射され、一部が透過して外部に放出され、一部が糖分によって吸収され、透過及び吸収されなかった残りの一部の光ビームＬｅが内部で乱反射する。そして、乱反射した光ビームのさらに一部である反射光ビームＬｒが糖度計１の対物レンズ５に向かって反射する。対物レンズ５及び光学フィルタ９を透過した反射光ビームＬｒは、直接に又は筒部材８の内壁の鏡面で反射して、受光素子１３に入射する。
【００１７】
農作物として葡萄を例に採った場合には、受光素子１３に入射する反射光ビームＬｒの受光量比率をＲ（＝Ｌｒ/Ｌｅ）とすると、光ビームＬｅの照射条件が統計的に同じであるならば、Ｒは葡萄の糖度の関数で表される。受光素子１３は、入射した反射光ビームＬｒの光量に応じた電気信号すなわち糖度検出信号ＤＳを生成するので、その葡萄の果汁を抽出して実際の糖度ＳＣを従来の方法で実験的に検出すれば、ＤＳとＳＣとの統計的な対応テーブル（以下、「ＤＳ/ＳＣテーブル」という）を作成することができる。したがって、農作物の種類ごとに実験的に作成したＤＳ/ＳＣテーブルを糖度計１のメモリにあらかじめ格納しておくことにより、各種類の農作物を収穫する前に、その糖度を測定することができる。その測定結果は、図１に示した表示部３の各ＬＥＤの発光色「赤（収穫時）」、「黄（収穫時が近い）」、「緑（収穫時までやや遠い）」、「青（収穫までかなり遠い）」によって表示される。
【００１８】
したがって、農作物の栽培場所において図１の可搬型の糖度計１を使用することにより、農作物を収穫する前にその糖度を測定することができる。この場合において、発光素子１２、マイクロレンズ１１、対物レンズ５、及び受光素子１３が同一の光軸を有するので、発光素子と受光素子との微妙な光軸調整を必要とせず、その結果、量産性を向上させると共に光ビームの利用効率を高くできるので、果物等の農作物の糖度を高い精度で測定することができる。
【００１９】
図３は、図１の糖度計１を備えた農作物の収穫用の工具の外観図である。図３に示すように、この工具はハサミ１５であり、刃１６によって農作物を収穫する構造になっている。糖度計１は、装着手段６である弾性部材によってハサミ１５に接着されて固定的に取り付けられているか、あるいはマグネットによって着脱可能に取り付けられている。ユーザが農作物の糖度を測定する場合には、ハサミ１５の操作部（柄）１７の一方の穴１７ａに親指を入れ、他方の穴１７ｂに中指、薬指、小指を入れて、ハサミ１５の刃１６を農作物に向けて、人指し指でスイッチ２を押下する。測定結果は表示部３の発光色によって表示される。ユーザは、表示された結果によって収穫の是非を判断する。例えば、表示部３の発光色が「黄」や「緑」で完熟前であっても、出荷の時期に合わせて収穫する場合もあり得る。要するに、糖度のレベルをより正確に測定することが本発明の目的である。測定動作の詳細については後述する。
【００２０】
図４は、実施形態における糖度計１に収容されている電子回路の構成を示す図である。図４（Ａ）において、制御部３１には、図１に示したスイッチ２及び表示部３が接続されると共に、発光素子１２を駆動する赤外線駆動部３２、受光素子１３からの糖度検出信号を増幅してアナログからデジタルに変換する増幅変換部３３、タイマ部を兼用する時計部３４、ブルートゥース（登録商標）の無線信号によって外部と通信する無線通信部３５が接続されている。太陽電池４は、これらの電子回路に電源を供給する。
【００２１】
図４（Ｂ）は制御部３１の内部構成であり、ＣＰＵ１１１、フラッシュメモリ１１２、及びワークメモリ１１３を有する。ＣＰＵ１１１は、フラッシュメモリ１１２に格納されているプログラムを実行して、糖度測定処理に関するデータをワークメモリ１１３に一時的にストアすると共に、フラッシュメモリ１１２に格納されているＤＳ/ＳＣテーブルを参照して、測定結果を表示部３に表示しながら、この糖度計１全体を制御する。
【００２２】
図５は、糖度計１（糖度計１を固定的に備えた農作物の収穫用のハサミ１５、鋸その他の工具を含む。以下同じ）とパソコン２１との間でブルートゥース（登録商標）の無線信号ＢＴを送受信する様子を示す概略図である。糖度計１は、測定した農作物の糖度及び測定日時に送信するとともに、フラッシュメモリ１１２に格納されているＤＳ/ＳＣテーブルの変更情報を受信する。パソコン２１は、インターネット２２を介して得られる収穫に関連する種々の情報、例えば、市場の価格や注文情報、天候の状況、農場試験所等からのＤＳ/ＳＣテーブルの変更情報などの種々の情報を受信する。
【００２３】
次に、実施形態における糖度計１の動作を説明する。図６は、図４のＣＰＵ１１１によって実行される糖度計１の動作を示すフローチャートである。スイッチ２がオンされたか否かを判別し（ステップＳ１）、スイッチ２がオンされたときは、赤外線駆動部３２に対して測定制御信号を与えて、発光素子１２から近赤外線を発光させる発光処理を行う（ステップＳ２）。発光された近赤外線の光ビームは、マイクロレンズ１１、光学フィルタ９、対物レンズ５を経て葡萄などの農作物に照射される。
【００２４】
農作物で反射されて対物レンズ５から入射した近赤外線の光ビームが受光素子１３によって受光されると、受光素子１３で光電変換され、増幅変換部３３でデジタル信号に変換された糖度検出信号ＤＳを取り込む検出処理を行う（ステップＳ３）。次に、検出された糖度検出信号ＤＳの値をフラッシュメモリ１１２のＤＳ/ＳＣテーブルによって糖度ＳＣのデータを算出する演算処理を行う（ステップＳ４）。
【００２５】
次に、算出した糖度ＳＣのデータに基づいて、表示部３のいずれかのＬＥＤを発光させる表示処理を行う（ステップＳ５）とともに、タイマをスタートさせる（ステップＳ６）。タイマの値が所定時間（例えば、５秒）を経過したか否かを判定し（ステップＳ７）、所定時間を経過したときは、ＬＥＤを消灯して表示を消去する（ステップＳ８）。そして、算出した糖度ＳＣのデータと測定した日時（以下、「糖度・日時データ」という）をフラッシュメモリ１１２にストアする（ステップＳ９）。この後は、ステップＳ１に移行してスイッチ２がオンされたか否かを判別する。
【００２６】
ステップＳ１においてスイッチ２がオンでない場合には、パソコン２１から無線信号による呼び出しがあるか否かを判別する（ステップＳ１０）。呼び出しがあったときは、その呼び出しに応答してパソコン２１との間で通信路を確立してコマンドやデータを送受信する通信処理を行う（ステップＳ１１）。
【００２７】
通信処理において、パソコン２１からデータの要求のコマンドを受信したか否かを判別し（ステップＳ１２）、データの要求があったときは、フラッシュメモリ１１２にストアした糖度・日時データを送信する（ステップＳ１３）。送信後は、糖度・日時データをフラッシュメモリ１１２から消去する（ステップＳ１４）。
【００２８】
ステップＳ１４において糖度・日時データを消去した後、又はステップＳ１２においてパソコン２１からデータ要求がない場合には、パソコン２１からＤＳ/ＳＣテーブルの変更データを受信したか否かを判別する（ステップＳ１５）。ＤＳ/ＳＣテーブルの変更データを受信したときは、フラッシュメモリ１１２のＤＳ/ＳＣテーブルのデータを変更する（ステップＳ１６）。
【００２９】
通信処理中において、パソコン２１から通信路の切断指令を受信したか否かを判別し（ステップＳ１７）、切断指令を受信しない場合には、ステップＳ１２からステップＳ１７までのループ処理を継続するが、切断指令を受信したときは、通信路の切断処理を行って（ステップＳ１８）、ステップＳ１に移行してスイッチ２がオンされたか否かを判別する。
【００３０】
以上のように、上記実施形態によれば、本発明の糖度計１は、スイッチ２と、表示部３と、駆動信号に応じて所定の波長の光ビームを発光する発光素子１２、発光素子１２が表面に形成された基板１０、発光素子１２から発光された光ビームを収束して透過させる対物レンズ５、基板１０の表面において発光素子１２の周りを囲んで形成され、対物レンズ５を透過して収束されて入射する所定の波長の光ビームを受光して受光信号を発生する受光素子１３を有する光学ユニット７と、光学ユニット７に駆動信号を与えて、発光素子１２から発光された光ビームを農作物の対象部位に照射させ、対象部位内の成分によって反射された光ビームを受光素子１３によって受光させて発生した受光信号に基づいて、対象部位内の糖分の濃度を検出し、検出した糖分の濃度を表示部３に表示する制御部３１と、を備えている。したがって、果実等の農作物に光を照射してその糖度を測定する場合に、発光素子と受光素子との微妙な光軸調整を必要とせず、量産性を向上させると共に光ビームの利用効率を高くできる。
【００３１】
また、上記実施形態によれば、本発明の農作物の収穫用の工具は、本発明の糖度計１を接着で固定的に取り付け又はマグネットで着脱可能に取り付けることにより、農作物を収穫する前に、収穫の是非を判断することができる。
【００３２】
なお、上記各実施形態においては、農作物に照射する光ビームとして近赤外線を例によって本発明を説明したが、近赤外線の代わりにレーザ光を用いてもよい。
【００３３】
また、糖度計１には複数の光学ユニットを設けて、異なる複数の波長の近赤外線又はレーザ光の光ビームを農作物に照射する構成にしてもよい。この場合において、時間差をおいて異なる波長の光ビームを順次に農作物に照射する。
【００３４】
次に、本発明による音声録音装置の実施形態について、図を参照しながら説明する。
図７は、本発明の実施形態における腕時計型の音声録音装置１の外観を示す斜視図である。図７において、本体２の上面にはＬＣＤ（液晶表示デバイス）その他の表示デバイスからなる表示部３及び３つのスイッチ４（４ａ、４ｂ、４ｃ）が設けられている。本体２は、ベルト５及び止め部材６（係止手段）によって使用者の手首（図示せず）に装着される。ベルト５の表面には太陽電池のセル５ａが設けられ、後述する内部の電子回路に電源を供給する。また、本体２の表面に近い内部には、２つのマイク７ａ及びマイク７ｂ（音声入力手段）がそれぞれ１２時の位置及び６時の位置に設けられている。
【００３５】
図８は、図７の腕時計型の音声録音装置１の本体２の構造を示す図である。図８（Ａ）は、本体２の表面の図であり、表示部３、スイッチ４ａ、４ｂ及び４ｃ、マイク７ａ及び７ｂの位置関係を示している。詳細については後述するが、表示部３の画面にはスイッチ４ａ、４ｂ及び４ｃに対応する位置に▲のマークが適宜に表示される。図８（Ｂ）は、図２（Ａ）の左側面の図であり、外部機器（イヤホン装置、パソコン等の情報処理装置その他の機器）と接続するための多機能の接続端子８が設けられている。なお、図には示していないが、接続端子８には、開閉可能な樹脂材料のカバーが設けられている。
【００３６】
図９は、音声録音装置１のマイク７ａ及び７ｂの感度の指向性を示す図である。音声録音装置１の本体２を上から見た図９（Ａ）及び横から見た図９（Ｂ）に示すように、マイク７ａ及び７ｂは、それぞれ斜め上方に拡がる点線で示す円錐形状又は楕円錐形状の範囲内の音に感応する指向性を持っている。図９（Ｂ）に示すように、マイク７ａ及び７ｂの感度の指向性は、音声録音装置１から遠くなるほど、それぞれの楕円錐形状の範囲が重なり合うように設計されている。したがって、音声録音装置１に近い音源に対しては、そこから発生される音に対してマイク７ａとマイク７ｂとの間で感度差は大きくなり、音声録音装置１から遠い音源に対しては、そこから発生される音に対してマイク７ａとマイク７ｂとの間で感度差は小さくなる。例えば、音声録音装置１から離れた場所の人の会話、若しくは電話の呼び出し音、キーボードの鍵打音、その他の種々の電子音等の高周波成分を含む屋内の環境音、又は、室外の車のクラクションや宣伝カーの大きな音量のスピーカの音声等の屋外の環境音に対するマイク７ａとマイク７ｂとの感度差は極めて小さい。
【００３７】
図１０は、図９における指向性をさらに具体的に説明するもので、音声録音装置１のマイク７ａ及びマイク７ｂの位置と、音声録音装置１からの高さに応じたそれぞれの音声に感応する範囲を模式的に示す図である。すなわち、マイク７ａ及びマイク７ｂの指向性の範囲を異なる高さで輪切りにした図である。音声録音装置１に近い高さ（距離）ｈ１の場合には、マイク７ａが音声に感応する範囲ａ１とマイク７ｂが音声に感応する範囲ｂ１とは、重なり合ってはいないが、音声録音装置１からの高さがｈ２、ｈ３のように次第に高くなるほど、マイク７ａが音声に感応する範囲ａ２、ａ３と、マイク７ｂが音声に感応する範囲ｂ２、ｂ３とは、重なり合う部分が次第に大きくなる。音声録音装置１から離れた高さｈ４の場合には、マイク７ａが音声に感応する範囲ａ４とマイク７ｂが音声に感応する範囲ｂ４とは、ほとんど重なり合っている。このように、各マイクが、他のマイクとは異なる特定の方向からの音声に感応するとともに、各マイクからの距離がより離れた音源ほど他のマイクがその音源からの音声に感応するような指向性を有する構成になっている。
【００３８】
なお、図７乃至図１０に示すマイク７ａ及び７ｂの構成は一例に過ぎない。変形例として、３時の位置のスイッチ４ｂをスイッチ４ａの反対側の１０時の位置に設けて、さらに２つのマイク（仮に「マイク７ｃ及び７ｄ」とする）を３時の位置及び９時の位置に追加する。この場合には、各マイク７ａ、７ｂ、７ｃ及び７ｄの位置から拡がる円錐形状又は楕円錐形状の範囲の音に感応する指向性を持つ。また、音声録音装置１から遠くなるほど、それぞれの円錐形状又は楕円錐形状の範囲が重なり合う。したがって、図３及び図４の場合と同様に、各マイクが、他のマイクとは異なる特定の方向からの音声に感応するとともに、各マイクからの距離がより離れた音源ほど他のマイクがその音源からの音声に感応するような指向性を有することになる。
【００３９】
図１１は、実施形態における音声録音装置１の本体２に収容されている電子回路の構成を示す図である。図１１（Ａ）において、制御部３１（記憶制御手段、保存判定手段、転送制御手段、電力制御手段）には、図７に示した表示部３及びスイッチ４が接続されると共に、タイマを含む時計部３２、増幅回路及びＡ／Ｄ変換回路（図示せず）を含むマイクインタフェース（Ｉ／Ｆ）３３及び３４（変換手段）、フラッシュメモリ等の不揮発性のメモリ３５、Ｄ／Ａ変換回路、フィルタ回路及び電力増幅回路（図示せず）を含み、図２（Ｂ）に示した接続端子８と制御部３１とを中継する入出力インタフェース（Ｉ／Ｏ  Ｉ／Ｆ）３７が接続されている。
【００４０】
入出力インタフェース３７には、充電電池である２次電池３８が接続されている。２次電池３８は、音声録音装置１が接続端子８及びＵＳＢケーブル等の所定のケーブルによってパソコンに装着された場合には、パソコンによって充電することができる。電源切替スイッチ（ＡＳＷ）３９は、２次電池３８及びベルト５の太陽電池５ａに接続され、制御部３１からの制御信号によって、２次電池３８又はベルト５の太陽電池５ａから電力の供給を受けて、電子回路に電圧Ｖｄを供給する。
【００４１】
制御部３１は、消費電力が小さい時計表示の場合には、ベルト５の太陽電池５ａからの電力によって電子回路に電圧Ｖｄを供給し、消費電力が大きい録音又は再生の場合には、２次電池からの電力によって電子回路に電圧Ｖｄを供給するように、切替えの制御信号を電源切替スイッチ３９に与える。
【００４２】
なお、ベルト５の太陽電池５ａのほかに、本体２の表示部３の下側にもさらに太陽電池を設けてもよい。例えば、表示部３を青色発光ダイオードやその他の青色発光素子とした場合には、太陽電池の材料としては、青色の波長の太陽光を反射しても影響が少ない材料、すなわち青色よりも波長が長い太陽光に感度があるテルル化カドミウム（ＣｄＴｅ）、アモルファスシリコン（ａ−Ｓｉ）、微結晶シリコン（μｃ−Ｓｉ）、多結晶シリコン（ｍ−Ｓｉ）等が望ましい。
【００４３】
マイクインタフェース（Ｉ／Ｆ）３３はマイク７ａに接続され、マイク７ａから入力されるアナログの音声信号を増幅し、デジタル音声データに変換して制御部３１に入力する。同様に、マイクインタフェース（Ｉ／Ｆ）３４はマイク７ｂに接続され、マイク７ｂから入力されるアナログの音声信号を増幅し、デジタル音声データに変換して制御部３１に入力する。なお、マイクインタフェース３４の増幅回路は、制御部３１によって増幅率を調整できる可変増幅回路になっている。増幅率を調整する理由については後述する。
【００４４】
図１２は制御部３１及びメモリ３５の内部構成を示す図である。図１２（Ａ）において、ＣＰＵ１１１、ＲＯＭ１１２、ＲＡＭ１１３、ＤＡＵ（Digital Amplifying Unit）１１４を有する。ＣＰＵ１１１は、スイッチ４の操作に応じて、ＲＯＭ１１２に格納されているプログラムを実行して、処理するデータをワークエリアであるＲＡＭ１１３に一時的にストアすると共に、プログラムの実行に伴う画像を表示部３に表示する。ＤＡＵ１１４は、デジタル増幅回路であり、入出力インタフェース３７から外部のイヤホン装置又はパソコンに供給するデジタル音声データを増幅する。なお、制御部３１の内部を構成するこれらの各部は、ワンチップのＬＳＩ（大規模集積回路）によっても実現できる。
【００４５】
図１２（Ｂ）において、メモリ３５は、記憶領域３５ａ、３５ｂ、３５ｄ（第１の記憶手段）及び記憶領域３５ｅ（第２の記憶手段）で構成され、制御部３１によってデータの書き込み及び読み出しが管理されている。なお、第１の記憶手段としては、記憶領域３５ａ、３５ｂ、３５ｄの代わりにＲＡＭ１１３で構成してもよい。何故ならば、後述するように、第１の記憶手段には一時的にデータを記憶するからである。
【００４６】
次に、図１３乃至図１５に示す制御部３１の動作を示すＣＰＵ１１１のフローチャート、図１６に示す表示部３の画面、及び図１７に示すデジタル音声データの波形図に基づいて、実施形態における音声録音の動作を説明する。
【００４７】
図１３はＣＰＵ１１１のメインフローチャートであり、所定のイニシャライズ（ステップＳＡ１）の後、時計表示を行う（ステップＳＡ２）。時計表示においては、ＣＰＵ１１１は、図１０（Ａ）に示す画面を表示する。すなわち、現在の時刻、日付を表示すると共に、図１のスイッチ４ａに対応する画面の位置に、モード変更を意味する文字「ＭＯＤＥ」及び▲のマークを表示する。そして、「ＭＯＤＥ」に対応するスイッチ４ａがオンされたか否かを判別する（ステップＳＡ３）。
【００４８】
スイッチ４ａがオンされたときは、ＣＰＵ１１１は、図１６（Ｂ）に示すモード選択の画面を表示する。モード選択の画面では、レコーダモード、タイマ設定モード、パソコン（ＰＣ）通信モード、及び録音マスクモードのメニューアイコンを表示するとともに、図１の３つのスイッチ４ａ、４ｂ及び４ｃのそれぞれに対応する画面の位置に▲のマークとともに、アイコン選択を意味する文字「ＭＯＤＥ」、時計表示に戻ることを意味する文字「ＲＥＴＵＲＮ」、選択中の表示反転したメニューアイコンのモードの決定を意味する文字「ＥＮＴＥＲ」を表示する。
【００４９】
ＣＰＵ１１１は、例えば「レコーダモード」が選択されている図１６（Ｂ）の画面において、「ＥＮＴＥＲ」に対応するスイッチ４ｃがオンされたか否かを判別し（ステップＳＡ４）、「レコーダモード」が決定されたときは、図１２（Ａ）に示したマイクインタフェース３４の増幅回路の増幅率をマイクインタフェース３３の増幅回路の増幅率と一致するように調整する（ステップＳＡ５）。マイクインタフェース３４の増幅回路は、マイクインタフェース３３の増幅回路と同一の増幅率になるように設計されているが、実際には、製造上のばらつき、経年変化、又は温度特性によって僅かな差が生じることがある。このため、２つのマイク７ａ及び７ｂから入力される周囲の環境ノイズに応じて入力される２系統の音声信号のレベルが同一になるようにマイクインタフェース３４の増幅回路の増幅率を調整する。
【００５０】
この場合において、図１０に示したように、周囲の環境ノイズの音源が音声録音装置１からｈ４の高さ（距離）である場合には、マイク７ａとマイク７ｂとが感応する範囲ａ４とｂ４とは完全に重なりあってはいない。しかし、ステップＳＡ５の調整処理によって、空間的な指向性の僅かなずれを電気的に補正して、その環境ノイズの音源に感応する見かけ上の指向性を一致させる。次に、スイッチ４ｂがオンされたか否かを判別する（ステップＳＡ６）。このスイッチが選択されたときは、録音処理を実行する（ステップＳＡ７）。
【００５１】
図１４は、図１３における録音処理のフローチャートである。ユーザは相手に知られずに録音したい場合もある。この場合には、ユーザは図１６（Ｂ）の画面で「録音マスクモード」を前もって選択する。このため、録音処理に遷移すると、図１４において、マスク録音であるか否かを判別する（ステップＳＢ１）。マスク録音でなく通常の録音である場合には、図１６（Ｃ）に示すようなレコーダモードの画面を表示する（ステップＳＢ２）。
【００５２】
図１６（Ｃ）のレコーダモードの画面においては、「録音中」の文字、現在の日時、及び、図７の３つのスイッチ４ａ、４ｂ及び４ｃのそれぞれに対応する画面の位置に▲のマークとともに、モード変更を意味する「ＭＯＤＥ」、録音を意味する「ＲＥＣ」、及び再生を意味する「ＰＢ」の文字を表示する。
【００５３】
一方、マスク録音の場合には、図１６（Ｃ）に示す画面に代えて図１６（Ａ）の時計表示の画面を表示する（ステップＳＢ３）。ただし、ユーザだけに録音中であることを示すために、例えば、スイッチ４ｂ及び４ｃに対応する位置に▲マークだけを表示するようにしてもよい。
【００５４】
次に、デフォルト又はタイマ設定モードにおいて、あらかじめ設定されている所定時間Ｔ（デフォルトは５秒）までカウントするタイマｔを「０」にリセットする（ステップＳＢ４）。次に、マイク７ａから取得したデジタル音声データをメモリ３５の記憶領域３５ａにストアし、マイク７ｂから取得したデジタル音声データをメモリ３５の記憶領域３５ｂにストアする（ステップＳＢ５）。
【００５５】
例えば、ユーザが一人又は数人の相手と業務の打ち合わせをしているときに、その打ち合わせの会話を録音する場合を想定する。このような状況においては、ユーザが普通の姿勢を維持している限りは、マイク７ａの感度の指向性は相手側の方向になり、マイク７ｂの感度の指向性はユーザ側の方向になる。したがって、ユーザの音声はもちろんのこと、相手側が発する音声が、大きな音声でも小さな音声であっても確実に録音できる。
【００５６】
図１７は、制御部３１によって処理されるデジタル音声データ及び信号処理を示す波形図である。図１７（Ａ）は、記憶領域３５ａにストアしたデジタル音声データと記憶領域３５ｂにストアしたデジタル音声データを同時に示した波形図である。図１７（Ａ）において、録音対象の音声区間である録音対象区間（ｖｏｉｃｅ）では、マイク７ａから得られた音声波形ａはマイク７ｂから得られた音声波形ｂよりも振幅が大きい。この状態は、音源がマイク７ａの感度の指向性の範囲に位置する相手側の音声であることを意味している。これに対して、音源がマイク７ｂの感度の指向性の範囲に位置するユーザ側の音声の場合には、音声波形ｂのほうが音声波形ａよりも振幅が大きくなる。しかし、録音対象区間以外の区間では、マイク７ａから得られた環境音の音声波形とマイク７ｂから得られた環境音の音声波形（ｎ１、ｎ２、ｎ３、ｎ４等）との振幅はほぼ同じである。これは図７のステップＳＡ５においてマイクインタフェース３３及び３４の増幅回路の増幅率を同一になるように調整したので当然の結果である。
【００５７】
図１７（Ａ）において、例えば、高周波成分を含む音声波形ｎ１は電話の呼び出し音、キーボードの鍵打音、その他の種々の電子音等の屋内の環境音であり、録音対象区間の音声波形に周波数特性が類似した形状の音声波形ｎ２は音声録音装置１から離れた場所の人の会話の環境音であり、インパルス性の極めて大きな振幅の音声波形ｎ３は室外の車のクラクションの環境音であり、振幅の大きい音声波形ｎ４は室外の宣伝カーの大きな音量のスピーカの音声の環境音である。これらの環境音は音声録音装置１から遠い位置の音源、すなわち、マイク７ａ及びマイク７ｂの感度の指向性の範囲が重なり合っている位置の音源であるので、マイク７ａから得られる音声波形とマイク７ｂから得られる音声波形との間の振幅の差、周波数特性の差、位相の差は極めて小さく、実質的な信号処理上では限りなくゼロに近い。
【００５８】
ステップＳＢ５において、２系統のデジタル音声データをそれぞれ記憶領域３５ｂ及び記憶領域３５ｂにストアした後は、録音データ選択処理を実行する（ステップＳＢ６）。図１５は、図１４における録音データ選択処理のフローチャートである。まず、記憶領域３５ａにストアしたデジタル音声データから記憶領域３５ｂにストアしたデジタル音声データを減算する（ステップＳＣ１）。上記したように、マイク７ａとマイク７ｂとは異なる方向に感度の指向性を持っているが、遠くの音源に対しては感度差が小さい。
【００５９】
したがって、図１５のステップＳＣ１において、マイク７ａから得られたデジタル音声データからマイク７ｂから得られたデジタル音声データを減算すると、図１７（Ｂ）に示す差信号のデジタル音声データの音声波形が得られる。すなわち、マイク７ａから得られる環境音の音声波形は、これとほぼ同じ振幅、周波数特性、位相のマイク７ｂから得られる環境音の音声波形によって打ち消される。したがって、周囲の不要な雑音のレベルが所定レベル以上の場合でも、周囲の雑音を打ち消して雑音の録音を防止できる。
【００６０】
図１５のステップＳＣ１の減算処理によって得られる差信号Ｄの振幅値（実効値）は、図１７の例の場合にはゼロより大きいが、マイク７ａから得られた音声波形ａがマイク７ｂから得られた音声波形ｂよりも振幅が小さい場合もある。すなわち、マイク７ｂの感度の指向性の範囲に位置するユーザ側の音声が入力されたときは、マイク７ｂから得られた音声波形ｂはマイク７ａから得られた音声波形ａよりも振幅が大きくなる。この場合には、図１５のステップＳＣ１の減算処理によって得られる差信号Ｄの振幅値は、図１７の例の場合にはゼロより小さくなる。音声波形ａの振幅値と音声波形ｂの振幅値との振幅差を検出するため、差信号Ｄの振幅値とゼロより僅かに大きな閾値ＴＨ（図１７の２点鎖線のレベル）とを比較する。
【００６１】
Ｄの振幅値がＴＨより大きいか否かを判別し（ステップＳＣ２）、Ｄの振幅値がＴＨより大きい場合には、差信号Ｄ、すなわち差信号である音声波形（ａ−ｂ）を録音対象のデジタル音声データとして選択する（ステップＳＣ３）。一方、Ｄの振幅値がＴＨより大きくない場合には、音声信号ａの振幅が音声信号ｂの振幅より小さいか又は同じ場合であるので、差信号Ｄを反転した−Ｄの振幅値がＴＨより大きいか否かを判別する（ステップＳＣ４）。すなわち、マイク７ｂからの音声波形ｂの振幅からマイク７ａからの音声波形ａを減算した差信号である音声波形（ｂ−ａ）の振幅がＴＨより大きいか否かを判別する。−Ｄの振幅値がＴＨより大きい場合には、反転した差信号−Ｄ、すなわち差信号である音声波形（ｂ−ａ）を録音対象のデジタル音声データとして選択する（ステップＳＣ５）。
【００６２】
音声波形（ａ−ｂ）又は音声波形（ｂ−ａ）を録音対象のデジタル音声データとして選択した後は、その選択したデジタル音声データをメモリ３５の記憶領域３５ｄにストアする（ステップＳＣ６）。
【００６３】
次に、記憶領域３５ｄにストアしたデジタル音声データのレベルを調整する（ステップＳＣ６）。図１７（Ｂ）に示すように、録音対象区間におけるマイク７ａからの音声波形ａの振幅は、マイク７ｂからの音声波形ｂによって減算されて、その差信号である音声波形（ａ−ｂ）の振幅が小さくなる。図には示さないが、同様に、音声波形ｂから音声波形ａを減算した差信号である音声波形（ｂ−ａ）の振幅も小さくなる。このため、図１２（Ｂ）に示したＤＡＵ１１４（デジタル増幅回路）によって、音声波形（ａ−ｂ）又は音声波形（ｂ−ａ）の振幅を、減算処理前の元の音声波形ａ又は音声波形ｂの振幅に見合うように増幅する。すなわち、ノイズ成分である環境音を除去するために、信号処理の演算を行った結果、減衰した録音対象の音声波形の振幅を受信時の状態まで回復させる。
【００６４】
次に、記憶領域３５ｄにストアしたデジタル音声データを記憶領域３５ｅに保存するか否かを判定するためのフラグＲＥＣＦが「０」であるか否かを判別する（ステップＳＣ７）。ＲＥＣＦの初期値は「０」である。ＲＥＣＦが「０」である場合には、ＲＥＣＦを「１（保存）」にセットする（ステップＳＣ８）。この後は図１４のフローチャートに戻る。
【００６５】
ステップＳＣ４において、差信号Ｄを反転した−Ｄの振幅値がＴＨより大きくない場合、すなわち差信号である音声波形（ａ−ｂ）及び音声波形（ｂ−ａ）の振幅がＴＨ以下である場合すなわち極めてゼロに近い場合には、マイク７ａからの音声波形とマイク７ｂからの音声波形とがほぼ等しい場合であり、図１７に示すような録音対象区間が存在せず、環境音の音声波形だけを取得した場合である。したがって、ＲＥＣＦを「１」にセットせず「０」の状態を維持する。この後は図１４のフローチャートに戻る。
【００６６】
図１４において、ステップＳＢ５の録音データ選択の後は、タイマｔの値があらかじめ設定された所定時間Ｔ（例えば、５秒）に達したか否かを判別する（ステップＳＢ７）。タイマｔの値が所定時間Ｔに達していない場合には、ステップＳＢ５に移行して、マイク７ａ及び７ｂからそれぞれ取得したデジタル音声データを記憶領域３５ａ及び記憶領域３５ｂにストアし、ステップＳＢ６の録音データ選択処理を継続する。
【００６７】
ステップＳＢ７において、タイマｔの値が所定時間Ｔに達したときは、フラグＲＥＣＦが「１（保存）」であるか否かを判別する（ステップＳＢ８）。ＲＥＣＦが「１」である場合には、記憶領域３５ｄにストアしたデジタル音声データを圧縮して（ステップＳＢ９）、その圧縮データを記憶領域３５ｅにストアする（ステップＳＢ１０）。次に、ＲＥＣＦを「０」にリセットして（ステップＳＢ１１）、記憶領域３５ａ、３５ｂ、３５ｄのデータを消去する（ステップＳＢ１２）。
【００６８】
一方、ステップＳＢ８において、ＲＥＣＦが「０」である場合、すなわち、所定時間Ｔの区間に録音対象区間が存在しない場合には、ステップＳＢ１２において記憶領域３５ａ、３５ｂ、３５ｄのデータを消去する。ステップＳＢ１２においてデータを消去した後は、図１３のメインフローチャートに戻る。
【００６９】
図１３において、ステップＳＡ７の録音処理中に、スイッチ４ｂがオンされたか否かを判別し（ステップＳＡ８）、このスイッチがオンでない場合にはステップＳＡ７の録音処理を継続するが、このスイッチがオンされたときは、録音処理を停止する（ステップＳＡ９）。すなわち、スイッチ４ｂはステップＳＡ６のオン操作（ステップＳＡ６；ＹＥＳ）で録音処理を制御部３１に指示し、ステップＳＡ８のオン操作（ステップＳＡ８；ＹＥＳ）で制御部３１に録音停止を指示するトグルスイッチを構成する。
【００７０】
ステップＳＡ６において、スイッチ４ｂがオン操作されない場合には、スイッチ４ｃがオンされたか否かを判別する（ステップＳＡ１０）。このスイッチがオンされたときは、再生処理を実行する（ステップＳＡ１１）。なお、再生処理においては、ユーザはスイッチ４ｃをオン操作する前に、図８（Ｂ）に示した音声出力端子８にイヤホン（図示せず）を挿入する必要がある。図１６（Ｄ）は、再生処理中の画面を示す図である。
【００７１】
ステップＳＡ１１の再生処理中に、スイッチ４ｃがオンされたか否かを判別し（ステップＳＡ１２）、このスイッチがオンでない場合には再生処理を継続するが、このスイッチがオンされたときは、再生処理を停止する（ステップＳＡ１３）。すなわち、スイッチ４ｃはステップＳＡ１０のオン操作（ステップＳＡ１０；ＹＥＳ）で再生処理を制御部３１に指示し、ステップＳＡ１２のオン操作（ステップＳＡ１２；ＹＥＳ）で制御部３１に再生停止を指示するトグルスイッチを構成する。
【００７２】
ステップＳＡ９において録音処理を停止した後、若しくはステップＳＡ１３において再生処理を停止した後、又は、ステップＳＡ６においてスイッチ４ｂがオンでなく（ステップＳＡ６；ＮＯ）、且つ、ステップＳＡ１０でスイッチ４ｃがオンでない（ステップＳＡ１０；ＮＯ）場合には、スイッチ４ａ及び４ｃが同時にオン操作されたか否かを判別する（ステップＳＡ１４）。これらのスイッチが同時にオンされたときは、メモリ３５のデータを消去する（ステップＳＡ１５）。この場合には、図１６（Ｅ）に示すように、メモリ３５のデータを消去するか否かをユーザに確認するためのメッセージを表示する。
【００７３】
ステップＳＡ１５においてメモリ３５のデータを消去した後、又は、ステップＳＡ１４においてスイッチ４ａ及び４ｃが同時にオン操作されない場合には、スイッチ４ａが単独でオン操作されたか否かを判別する（ステップＳＡ１６）。このスイッチがオンされない場合（ステップＳＡ１６；ＮＯ）には、ステップＳＡ６に移行して、上記したステップＳＡ１６に至るいずれかの処理経路を実行する。
【００７４】
ステップＳＡ１６において、スイッチ４ａがオン操作されたときは（ステップＳＡ１６；ＹＥＳ）、レコーダモードから時計表示モードに遷移し、ステップＳＡ２に移行して時計表示を行う。
【００７５】
ステップＳＡ４において、レコーダモードが選択されない場合（ステップＳＡ４；ＮＯ）には、他のモード処理、すなわち、図１６（Ｂ）に示した「タイマ設定モード」、「パソコン通信モード」又は「マスク録音モード」を実行して（ステップＳＡ１７）、そのモード処理が終了したときは時計表示モードに遷移し、ステップＳＡ２に移行して時計表示を行う。
【００７６】
上記したように、相手に知られずに録音を行うマスク録音モードにおいては、表示部３の表示内容が通常の録音モードと若干異なる（▲のマークのみが異なる）だけであるので、動作のフローチャート及び説明は省略する。
【００７７】
図１６（Ｆ）は、タイマ設定モードの画面を示す図である。制御部３１は、マイク７ａ及び７ｂから所定時間Ｔの区間に得られる２系統のデジタル音声データをそれぞれ記憶領域３５ｂ及び記憶領域３５ｂにストアして、その区間における録音対象区間の有無を判定するが、その所定時間Ｔはデフォルトの５秒から１０秒、１５秒、２０秒のいずれかに変更することができる。
【００７８】
なお、実施の形態の変形例として、録音対象区間の有無を所定時間Ｔの経過で判定する代わりに、メモリ３５の記憶領域３５ａ及び３５ｂにストアするデータが記憶容量に達したときに判定する構成にしてもよい。
【００７９】
また、実施の形態の変形例として、録音を開始する時刻をあらかじめ設定し、その時刻に達したときは、ユーザの操作によらずに自動的に録音を開始することも可能である。特に、録音することを秘密にするような場合には、このような自動録音は有効である。
【００８０】
以上のように、上記実施の形態又は変形例によれば、本発明の音声録音装置１は、本体２、及び本体２の２箇所に両端を結合されたベルト５を有する腕時計型である。この音声録音装置１は、本体２の異なる位置（１２時及び６時の位置）に設けられ外部からの音声に応じてそれぞれ音声信号を生成する２つのマイク７ａ及び７ｂと、マイク７ａ及び７ｂから入力される音声信号を２系統のデジタル音声データに変換するマイクインタフェース３３及び３４と、第１の記憶手段である記憶領域３５ａ、３５ｂ及び３５ｄ、並びに、第２の記憶手段である記憶領域３５ｅを有するフラッシュメモリ等の不揮発性メモリ３５と、マイクインタフェース３３及び３４によって変換された２系統のデジタル音声データを記憶領域３５ａ及び３５ｂに記憶して、記憶領域３５ａに記憶したデジタル音声データと記憶領域３５ｂに記憶したデジタル音声データとの差分のデジタル音声データを記憶領域３５ｄに記憶し、差分の音量に基づいて、記憶領域３５ｄに記憶したデジタル音声データを保存するか否かを判定し、保存すると判定されたときは記憶領域３５ｄに記憶したデジタル音声データを記憶領域３５ｅに転送する制御部３１と、を備えた構成になっている。
【００８１】
したがって、本発明の音声録音装置１によれば、外部から入力される人の音声等のレベルの大小にかかわらず、且つ、周囲の不要な雑音のレベルが大きい場合でも、録音対象である人の音声等を確実に録音できる。
【００８２】
なお、上記実施の形態においては、２つのマイク７ａ及び７ｂを具備した音声録音装置１について本発明を説明したが、音声録音装置が具備するマイクの数は２に限定されない。例えば、実施の形態の変形例として、４つのマイク７ａ、７ｂ、７ｃ、７ｄを腕時計型の音声録音装置の１２時、６時、３時、９時の位置に備える構成にしてもよい。
【００８３】
図１８は、この変形例において制御部によって処理されるデジタル音声データ及び信号処理を示す波形図である。図１８（Ａ）は、メモリ３５にストアした４つのマイク７ａ〜７ｄのデジタル音声データを同時に示した波形図である。図１８（Ａ）において、録音対象の音声区間である録音対象区間（ｖｏｉｃｅ）では、マイク７ａから得られた音声波形ａはマイク７ｂから得られた音声波形ｂよりも振幅が大きく、マイク７ｃ及び７ｄから得られた音声波形ｃ及び音声波形ｄよりもさらに振幅が大きい。しかし、録音対象区間以外の区間では、４つのマイク７ａ〜７ｄから得られた環境音の音声波形（ｎ１、ｎ２、ｎ３、ｎ４等）の振幅はほぼ同じである。
【００８４】
図１８（Ｂ）、（Ｃ）、（Ｄ）は、音声波形ａから音声波形ｂ、音声波形ｃ、音声波形ｄをそれぞれ減算した音声波形（ａ−ｂ）、音声波形（ａ−ｃ）、音声波形（ａ−ｄ）である。この場合において、少なくとも１つのデジタル音声データの音声波形の音量値が閾値ＴＨを超えたときに、その閾値を超えた音量値のデジタル音声データを保存する。ただし、閾値を超えた音量値のデジタル音声データが複数系統（変形例では図１８（Ｂ）、（Ｃ）、（Ｄ）の３系統）である場合には、その中で最も音量値が大きいデジタル音声データ（図１８ではマイク７ａからの音声波形ａのデジタル音声データ）を保存する。
【００８５】
なお、上記実施の形態及び変形例においては、本体２の２箇所に両端が結合されたベルト５を有する腕時計型を例に採って本発明を説明したが、本発明は腕時計型の音声録音装置に限定されない。例えば、ユーザのポケットやバッグに納めることができるような可搬型のすべての音声録音装置についても本発明を適用できる。
【図面の簡単な説明】
【００８６】
【図１】本発明の実施形態における糖度計の外観を示す斜視図である。
【図２】図１の糖度計の内部に設けられた光学ユニットの構造を示す図である。
【図３】図１の糖度計を備えた農作物の収穫用の工具の外観図である。
【図４】図１の糖度計に収容されている電子回路の構成を示す図である。
【図５】図１の糖度計とパソコンとの間で無線信号を送受信する概略図である。
【図６】図４の制御部のＣＰＵによって実行されるフローチャートである。
【図７】本発明の実施形態における音声録音装置の外観を示す斜視図である。
【図８】図７の腕時計型の音声録音装置の本体の構造を示す図である。
【図９】音声録音装置の２つのマイクの感度の指向性を示す図である。
【図１０】音声録音装置の２つのマイク７の位置と、音声録音装置からの高さに応じたそれぞれの音声に感応する範囲を模式的に示す図である。
【図１１】図７の音声録音装置に収容されている電子回路の構成を示す図である。
【図１２】図１１の制御部及びメモリの内部構成を示す図である。
【図１３】図１２のＣＰＵのメインフローチャートである。
【図１４】図１３における録音処理のフローチャートである。
【図１５】図１４における録音データ選択処理のフローチャートである。
【図１６】図７の音声録音装置の表示部の画面を示す図である。
【図１７】実施の形態のデジタル音声データを示す波形図である。
【図１８】実施の形態の変形例のデジタル音声データを示す波形図である。
【符号の説明】
【００８７】
１  糖度計
２  スイッチ
３  表示部
４  太陽電池
５  対物レンズ
６  装着手段
７  光学ユニット
１０  基板
１１  マイクロレンズ
１２  発光素子
１３  受光素子
１５  ハサミ
３１  制御部
３２  赤外線駆動部
３３  増幅変換部
３４  時計部
３５  無線通信部
１１１  ＣＰＵ
１１２  フラッシュメモリ
１  音声録音装置
２  本体
３  表示部
４  スイッチ
５  ベルト
５ａ  太陽電池
７ａ、７ｂ  マイク
８  接続端子
３１  制御部
３２  時計部
３３、３４  マイクインタフェース
３５  メモリ
３５ａ、３５ｂ、３５ｃ、３５ｄ  記憶領域
３７  入出力インタフェース
３８  ２次電池
３９  電源切替スイッチ
【図１】
2010127694.tif 000003
【図２】
2010127694.tif 000004
【図３】
2010127694.tif 000005
【図４】
2010127694.tif 000006
【図５】
2010127694.tif 000007
【図６】
2010127694.tif 000008
【図７】
2010127694.tif 000009
【図８】
2010127694.tif 000010
【図９】
2010127694.tif 000011
【図１０】
2010127694.tif 000012
【図１１】
2010127694.tif 000013
【図１２】
2010127694.tif 000014
【図１３】
2010127694.tif 000015
【図１４】
2010127694.tif 000016
【図１５】
2010127694.tif 000017
【図１６】
2010127694.tif 000018
【図１７】
2010127694.tif 000019
【図１８】
2010127694.tif 000020